【手続補正書】
【提出日】平成28年5月19日(2016.5.19)
【手続補正１】
【補正対象書類名】特許請求の範囲
【補正対象項目名】全文
【補正方法】変更
【補正の内容】
【特許請求の範囲】
【請求項１】
複数の画像処理モジュールがリング状のバスによって接続され、入力画像に対して、前記複数の画像処理モジュールが所定の処理順で一連の画像処理を実行し、出力画像を生成する画像処理装置を制御する制御装置であって、
前記画像処理装置に出力させる前記出力画像のサイズを取得する第１の取得手段と、
前記一連の画像処理における前記所定の処理順と、前記複数の画像処理モジュールのうち前記一連の画像処理を実行する少なくとも２つ以上の画像処理モジュールそれぞれが実行する処理の処理パラメータと、を取得する第２の取得手段と、
前記出力画像のサイズを出力するために必要な前記入力画像の周辺画素数を、前記処理パラメータと前記所定の処理順とを用いて算出する算出手段と、
前記算出手段により算出された周辺画素数に基づいて前記画像処理装置に入力する前記入力画像のサイズを決定する決定手段と、を有することを特徴とする制御装置。
【請求項２】
前記画像処理装置が実行可能な複数の処理モード毎の、前記複数の画像処理モジュールのうち少なくとも２つ以上の画像処理モジュールで処理させる処理順を保持する保持手段をさらに有することを特徴とする請求項１に記載の制御装置。
【請求項３】
前記保持手段は、前記画像処理モジュール毎に、必要とする周辺画素数を取得するアルゴリズムを保持し、前記算出手段は、前記処理順の逆順に、画像処理モジュールに対応するアルゴリズムを順番に実施することで前記処理パラメータと前記所定の処理順とに応じた入力画像の画素数を算出することを特徴とする請求項２に記載の制御装置。
【請求項４】
前記保持手段は、前記画像処理モジュール毎に入力画像サイズから出力画像サイズを取得するアルゴリズムを保持し、前記第１の取得手段は、前記処理順の画像処理モジュールに対応するアルゴリズムを順番に実施することで出力画像のサイズを取得することを特徴とする請求項２に記載の制御装置。
【請求項５】
前記画像処理装置を複数の処理モードで動作させるように制御する制御手段をさらに有することを特徴とする請求項２乃至４のいずれか１項に記載の制御装置。
【請求項６】
前記保持手段は、前記画像処理装置の処理モード毎に、前記画像処理装置への入力画像のサイズ、または、前記画像処理装置からの出力画像のサイズを保持していることを特徴とする請求項５に記載の制御装置。
【請求項７】
前記周辺画素数は、画像の処理対象の画像の上端に付加する画素数、処理対象の画像の下端に付加する画素数、処理対象の画像の左端に付加する画素数、処理対象の画像の右端に付加する画素数、付加した画素を含む画像幅、付加した画素を含む画像高さ、の少なくとも１つを含むことを特徴とする請求項１乃至６のいずれか１項に記載の制御装置。
【請求項８】
前記複数の画像処理モジュールは、入力画像を拡大処理する拡大処理モジュールを含むことを特徴とする請求項１乃至７のいずれか１項に記載の制御装置。
【請求項９】
前記複数の画像処理モジュールは、入力画像を縮小処理する縮小処理モジュールを含むことを特徴とする請求項１乃至８のいずれか１項に記載の制御装置。
【請求項１０】
前記複数の画像処理モジュールは、前記入力画像における注目画素を処理する際に、前記入力画像における複数の画素を参照して前記注目画素の出力画素を出力する処理を実施ことを特徴とする請求項１乃至９のいずれか１項に記載の制御装置。
【請求項１１】
前記複数の画像処理モジュールは、Ｎ×Ｍ画素のフィルタ処理を実施するフィルタ処理モジュールを含むことを特徴とする請求項１乃至１０のいずれか１項に記載の制御装置。
【請求項１２】
前記複数の画像処理モジュールは、Ｋ×Ｌ画素のタイル処理を実施するタイル処理モジュールを含むことを特徴とする請求項１乃至１１のいずれか１項に記載の制御装置。  
【請求項１３】
前記複数の画像処理モジュールは、エッジ検出を実施することを特徴とする請求項１乃至１２のいずれか１項に記載の制御装置。
【請求項１４】
前記複数の画像処理モジュールは、所定の画素値の画素を追加する余白追加処理モジュールを含むことを特徴とする請求項１乃至１３のいずれか１項に記載の制御装置。
【請求項１５】
前記複数の画像処理モジュールは、切り出し処理を実施する切り出し処理モジュールを含むことを特徴とする請求項１乃至１４のいずれか１項に記載の制御装置。
【請求項１６】
前記入力画像のサイズの入力画像を前記画像処理装置に供給する入力手段を更に有し、
前記入力手段は、前記画像処理装置へ供給するためのアドレス領域を拡張することで、周辺画素を付加した入力画像を前記画像処理装置へ供給することを特徴とする請求項１乃至１５のいずれか１項に記載の制御装置。
【請求項１７】
前記入力画像のサイズの入力画像を前記画像処理装置に供給する入力手段を更に有し、
前記入力手段は、前記画像処理装置へ供給するためにアドレス領域を複数回読み出すことで、周辺画素を付加した入力画像を前記画像処理装置へ供給することを特徴とする請求項１乃至１５のいずれか１項に記載の制御装置。
【請求項１８】
前記画像処理装置は、前記複数の画像処理モジュールを前記処理順に従って、論理的に接続するインターコネクトを備えることを特徴とする請求項１乃至１７のいずれか１項に記載の制御装置。
【請求項１９】
前記所定の処理順は、前記複数の画像処理モジュールが前記バスによって接続された接続順とは異なることを特徴とする請求項１乃至１８のいずれか１項に記載の制御装置。
【請求項２０】
前記算出手段は、前記所定の処理順とは逆順に、逐次的に必要な画素数を算出することにより、前記処理パラメータと前記所定の処理順とを用いた画素数を算出することを特徴とする請求項１に記載の制御装置。
【請求項２１】
複数の画像処理モジュールが、入力画像に対して、所定の論理的な処理順で一連の画像処理を実行し、出力画像を生成する画像処理装置を制御する制御装置であって、
前記画像処理装置に出力させる前記出力画像のサイズを取得する第１の取得手段と、
前記一連の画像処理における前記所定の処理順と、前記複数の画像処理モジュールのうち前記一連の画像処理を実行する少なくとも２つ以上の画像処理モジュールそれぞれが実行する処理の処理パラメータを取得する第２の取得手段と、
前記出力画像のサイズを出力するために必要な前記入力画像の画素数を、前記処理パラメータと前記所定の処理順とを用いて算出する算出手段と、
前記算出手段により算出された画素数に基づいて前記画像処理装置に入力する前記入力画像のサイズを決定する決定手段と、を有することを特徴とする制御装置。
【請求項２２】
複数の画像処理モジュールがリング状のバスによって接続され、入力画像に対して、前記複数の画像処理モジュールが所定の処理順で一連の画像処理を実行し、出力画像を生成する画像処理装置を制御する制御方法であって、
前記画像処理装置に出力させる前記出力画像のサイズを取得する第１の取得工程と、
前記一連の画像処理における前記所定の処理順と、前記複数の画像処理モジュールのうち前記一連の画像処理を実行する少なくとも２つ以上の画像処理モジュールそれぞれが実行する処理の処理パラメータと、を取得する第２の取得工程と、
前記出力画像のサイズを出力するために必要な前記入力画像の画素数を、前記処理パラメータと前記所定の処理順とを用いて算出する算出工程と、
前記算出工程により算出された画素数に基づいて前記画像処理装置に入力する前記入力画像のサイズを決定する決定工程と、を有することを特徴とする制御方法。
【請求項２３】
複数の画像処理モジュールが、入力画像に対して、所定の論理的な処理順で一連の画像処理を実行し、出力画像を生成する画像処理装置を制御する制御方法であって、
前記画像処理装置に出力させる前記出力画像のサイズを取得する第１の取得工程と、
前記一連の画像処理における前記所定の処理順と、前記複数の画像処理モジュールのうち前記一連の画像処理を実行する少なくとも２つ以上の画像処理モジュールそれぞれが実行する処理の処理パラメータを取得する第２の取得工程と、
前記出力画像のサイズを出力するために必要な前記入力画像の画素数を、前記処理パラメータと前記所定の処理順とを用いて算出する算出工程と、
前記算出工程により算出された画素数に基づいて前記画像処理装置に入力する前記入力画像のサイズを決定する決定工程と、を有することを特徴とする制御方法。
【請求項２４】
コンピュータを請求項１乃至２１いずれか１項の制御装置の各手段として機能させるためのプログラム。
【手続補正２】
【補正対象書類名】明細書
【補正対象項目名】０００８
【補正方法】変更
【補正の内容】
【０００８】
上記の課題を達成する本発明に係る制御装置は、複数の画像処理モジュールがリング状のバスによって接続され、入力画像に対して、前記複数の画像処理モジュールが所定の処理順で一連の画像処理を実行し、出力画像を生成する画像処理装置を制御する制御装置であって、前記画像処理装置に出力させる前記出力画像のサイズを取得する第１の取得手段と、前記一連の画像処理における前記所定の処理順と、前記複数の画像処理モジュールのうち前記一連の画像処理を実行する少なくとも２つ以上の画像処理モジュールそれぞれが実行する処理の処理パラメータと、を取得する第２の取得手段と、前記出力画像のサイズを出力するために必要な前記入力画像の周辺画素数を、前記処理パラメータと前記所定の処理順とを用いて算出する算出手段と、前記算出手段により算出された周辺画素数に基づいて前記画像処理装置に入力する前記入力画像のサイズを決定する決定手段と、を有することを特徴とする。